(57)【要約】      （修正有）【課題】切削液により切り屑除去する切削工具を提供する。【解決手段】挟持部１０が、その中央に挟持用穿孔１１を一つ設けてあり、且つ該挟持部１０が一端へ向けて延伸して挟持用束部を設けてあり、該パッキン・ロッキング部が、選択的に該挟持部１０の該挟持用束部に１２対応して嵌設でき、且つこれらの挟持用束部１２を介して束縛することにより、これらの挟持用束部１２の挟持緩緊程度を調整でき、更に該切削液の導引素子３０が、対応的に該パッキン・ロッキング部２０の前端の内側縁に解体可能に固定され、且つ該切削液の導引素子３０の上に、少なくとも一つの導引用貫孔３２があり、これにより、切削液を導引して該刃物の切削端の方向へ向けて集中して噴射できる。【選択図】図３
2016124062.tif 000002
【特許請求の範囲】
【請求項１】
切削液の切り屑除去を導引できる刃物挟持装置は、一つの挟持部，一つのパッキン・ロッキング部と一つの切削液の導引素子を含んでなり、該挟持部が、その中央に挟持用穿孔を一つ設けることにより、刃物を一つ穿設し、且つ該挟持部が一端へ向けて延伸し、長い切り口を複数個有する挟持用束部を設けてあり、ひいてはこれらの挟持用束部を介して束縛することにより、これらの挟持用束部の挟持緩緊程度を調整することにより、該刃物を固定・挟持でき、該パッキン・ロッキング部が、選択的に該挟持部の該挟持用束部に対応して嵌設でき、且つこれらの挟持用束部を介して束縛することにより、これらの挟持用束部の挟持緩緊程度を調整でき、その中でも、該パッキン・ロッキング部が一つの嵌環で、更に該切削液の導引素子が、対応的に該パッキン・ロッキング部の前端の内側縁に解体可能に固定され、該切削液の導引素子の中央に一つの刃物の穿孔を設けてあり、且つ該切削液の導引素子の上に少なくとも一つの導引用貫孔を有し、その中でも、該導引用貫孔が該切削液の導引素子の前端壁面から該切削液の導引素子の後端壁面へ貫通し、且つ該導引用貫孔が該刃物の切削端の方向へ向け、更に該導引用貫孔がこれらの挟持用束部の間の隙間に連通し、ひいては切削液を導引して該刃物の切削端の方向へ向けて集中して噴射できることを特徴とする、切削液の切り屑除去を導引できる刃物挟持装置。
【請求項２】
該パッキン・ロッキング部の前端の内側縁に雌ねじを設けてあり、且つ切削液の導引素子が該雌ねじに螺着されることを特徴とする、請求項1に記載の切削液の切り屑除去を導引できる刃物挟持装置。
【請求項３】
該導引用貫孔の数量が2個であることを特徴とする、請求項1に記載の切削液の切り屑除去を導引できる刃物挟持装置。
【請求項４】
該導引用貫孔が対称な配置を互いに呈することを特徴とする、請求項3に記載の切削液の切り屑除去を導引できる刃物挟持装置。
【請求項５】
該導引用貫孔の前端が、ひいては解体可能な封止部を一つ設けてあり、ひいては選択的に該導引用貫孔を封止できることを特徴とする、請求項1に記載の切削液の切り屑除去を導引できる刃物挟持装置。
【発明の詳細な説明】
【技術分野】
【０００１】
本発明は、切削液の切り屑除去を導引できる刃物挟持装置に関するもので、特に切削液を刃物の加工箇所へ導引して集中することにより切削屑の排除を補助できる刃物挟持装置を、指す。
【背景技術】
【０００２】
工業加工技術の進歩につれて、自動化の多機能加工機（例えばCNC旋盤）を応用して品物に対して例えば切削・ドリルなどの加工動作を行うことにより、伝統的に人力にて機械を制御して加工を行うことを、交替するのは、次第に普及する加工様態で、そして各種な加工動作の需要に対応して選択的に各様式および各種な寸法の刃物を切替できるのが、自動化の多機能加工機の特性である。
【０００３】
そして該類型の機械の使用において、刃物挟持装置も、相当に著しく重要となり、既存技術の中において、刃物挟持装置が作業用刃物を挟持する時に、更に中央に隙間を有する特徴を介して、ひいては直接に切削液の噴出口と見なしてもよいが、但しその噴出された切削液が、中部から合流して出すので、取得できる切り屑除去効果が十分に弱くなり、このようにしたら、より多い外部噴射切削液を借りて切り屑を除去する必要があることを招き、応用上から見ると、なお不足の箇所があり、従って上記の叙述を総合し、本発明の発明者が、切削液の切り屑除去を導引できる刃物挟持装置を、思量かつ設計することにより、既存技術の欠点に対してより改善し、ひいては産業上における実施・利用を増進することを、期待する。
【発明の概要】
【発明が解決しようとする課題】
【０００４】
前述の既存技術の不足点に鑑み、本発明は、新規性，進歩性および産業上の利用可能性などの特許要件を備える、切削液の切り屑除去を導引できる刃物挟持装置を設計することにより、既存技術の困難点を克服しようとする。
【課題を解決するための手段】
【０００５】
前述の目的を達成するために、本発明の採用する技術手段は、切削液の切り屑除去を導引できる刃物挟持装置を設計し、該切削液の切り屑除去を導引できる刃物挟持装置が、一つの挟持部，一つのパッキン・ロッキング部と一つの切削液の導引素子を含んでなり、該挟持部が、その中央に挟持用穿孔を一つ設けることにより、刃物を一つ穿設し、且つ該挟持部が一端へ向けて延伸して挟持用束部を設けてあり、ひいてはこれらの挟持用束部を介して束縛することにより、これらの挟持用束部の挟持緩緊程度を調整することにより、該刃物を固定・挟持でき、該パッキン・ロッキング部が、選択的に該挟持部の該挟持用束部に対応して嵌設でき、且つこれらの挟持用束部を介して束縛することにより、これらの挟持用束部の挟持緩緊程度を調整でき、その中でも、該パッキン・ロッキング部が一つの嵌環で、更に該切削液の導引素子が、対応的に該パッキン・ロッキング部の前端の内側縁に解体可能に固定され、該切削液の導引素子の中央に一つの刃物の穿孔を設けてあり、且つ該切削液の導引素子の上に少なくとも一つの導引用貫孔を有し、その中でも、該導引用貫孔が該切削液の導引素子の前端壁面から該切削液の導引素子の後端壁面へ貫通し、且つ該導引用貫孔が該刃物の切削端の方向へ向け、更に該導引用貫孔がこれらの挟持用束部の間の隙間に連通し、ひいては切削液を導引して該刃物の切削端の方向へ向けて集中して噴射できる。
【０００６】
その中でも、該パッキン・ロッキング部の前端の内側縁に雌ねじを設けてあり、且つ切削液の導引素子が該雌ねじに螺着される。
【０００７】
その中でも、該導引用貫孔の数量が2個である。
【０００８】
その中でも、該導引用貫孔が対称な配置を互いに呈する。
【０００９】
その中でも、該導引用貫孔の前端が、ひいては解体可能な封止部を一つ設けてあり、ひいては選択的に該導引用貫孔を封止できる。
【発明の効果】
【００１０】
本発明の切削液の切り屑除去を導引できる刃物挟持装置は、設計上では、選択的に切削液の導引を介し且つ延いては切削液を刃物の切削端に集中する機能を、提供するが、このようにしたら、これにより、切削液の噴射力の効き目を集中することにより、効率的かつ補助的な洗い流しを達成し、切り屑除去の機能を行ってもよく、極めて優れる応用便利性を有する。
【図面の簡単な説明】
【００１１】
【図１】本発明の切削液の切り屑除去を導引できる刃物挟持装置の外観図である。
【図２】本発明の切削液の切り屑除去を導引できる刃物挟持装置の外観分解図である。
【図３】本発明の切削液の切り屑除去を導引できる刃物挟持装置の側断面図である。
【図４】本発明の切削液の切り屑除去を導引できる刃物挟持装置の他の実施態様の側断面図である。
【発明を実施するための形態】
【００１２】
そして前述の目的，技術的特徴および実際な実施後の収益性をより著しく了解しやすくなるために、下記の中で、より好ましい実施例により、対応・関連する図面を補佐し、より詳細な説明を行う。
【００１３】
対応的に図1ないし図3を参照して示すように、本発明の提出する、切削液の切り屑除去を導引できる刃物挟持装置は、一つの刃物の挟持座80の中に組み立てられ、より好ましい実施方式において、一つの挟持部10，一つのパッキン・ロッキング部20と一つの切削液の導引素子30を含んでもよい。
【００１４】
前述の挟持部10が、その中央に挟持用穿孔11を一つ設けることにより、挟持待ちの刃物90を一つ穿設でき、且つ該挟持部10が一端へ向けて延伸し、長い切り口を複数個有する挟持用束部12を設けてあり、ひいてはこれらの挟持用束部12を介して束縛することにより、これらの挟持用束部12の挟持緩緊程度を調整することにより、該刃物を固定・挟持でき、更に同時にこれらの挟持用束部12の間における隙間が切削液の通過に供してもよい。
【００１５】
前述のパッキン・ロッキング部20が、選択的に該挟持部10の該挟持用束部12に対応して嵌設でき、且つこれらの挟持用束部12を介して束縛することにより、これらの挟持用束部12の挟持緩緊程度を調整でき、その中でも、或いは該パッキン・ロッキング部20が一つの嵌環であってもよく、且つ或いは該パッキン・ロッキング部20の前端の内側縁に雌ねじを設けてもよい。
【００１６】
前述の切削液の導引素子30が、対応的に該パッキン・ロッキング部20の前端の内側縁に解体可能に固定され、或いは該雌ねじに螺着でき、該切削液の導引素子30の中央に一つの刃物の穿孔31を設けてあり、ひいては刃物をその中に穿設するように許容でき、且つ該切削液の導引素子30の上に少なくとも一つの導引用貫孔32、例えば2個を有し、且つ或いは対称な配置を互いに呈してもよい。
【００１７】
その中でも、該導引用貫孔32が該切削液の導引素子30の前端壁面から該切削液の導引素子30の後端壁面へ貫通し、且つ該導引用貫孔32が該刃物の切削端の方向へ向け、更に該導引用貫孔32がこれらの挟持用束部12の間の隙間に連通し、ひいては切削液を導引して前向きに噴出し、該刃物の切削端の方向へ向けて集中して切削液を噴射できる。
【００１８】
その他に、ひいては対応的に図4を参照して示すように、或いは該導引用貫孔32の前端が、ひいては解体可能な封止部33を一つ設けてもよいが、ひいては選択的に該導引用貫孔32を封止できることにより、ユーザーが状況に基づき、切削液の集中を介して切り屑の除去を補助するかどうかを、選択できる。
【００１９】
本発明の切削液の切り屑除去を導引できる刃物挟持装置が、設計上における巧みな構想・変更を介し、選択的に切削液の導引を介し且つ延いては切削液を刃物の切削端に集中できる機能を、提供するが、このようにしたら、これにより、切削液の噴射力の効き目を集中することにより、効率的かつ補助的な洗い流しを達成し、切り屑除去の機能を行ってもよく、極めて優れる応用便利性を有し、従来の技術により追及できなく、従ってその収益性の所在が見える。
【００２０】
以上の述べた実施例は、ただ本発明の技術思想および特長のみを説明するだけで、その目的は、この技術に習熟する人が本発明の内容を了解し且つこれに基づいて実施できるもので、これにより本発明の特許請求の範囲を限定するために用いなくてもよいが、即ち本発明の掲示する精神に基づいて出来た等価な変更または潤色が、いずれも依然として本発明の特許請求の範囲内に含まれるべきである。
【符号の説明】
【００２１】
10  挟持部
11  挟持用穿孔
12  挟持用束部
20  パッキン・ロッキング部
30  切削液の導引素子
31  刃物の穿孔
32  導引用貫孔
33  封止部
80  刃物の挟持座
90  刃物
【図１】
2016124062.tif 000003
【図２】
2016124062.tif 000004
【図３】
2016124062.tif 000005
【図４】
2016124062.tif 000006